(57)【要約】【課題】  ホストとＨＤＤとの間のインターフェースバス上でパスワードの漏洩を防止して安全に消去命令を実行させる【解決手段】  ランダムな数字情報及び暗号化されたランダムな数字情報と共に消去命令が受信されるか否かを判断する段階と；消去命令が受信された場合に，暗号化されたランダムな数字情報を消去用アルゴリズム及びキーを利用して解読する段階と；解読されたランダムな数字情報と前記受信されたランダムな数字情報とが一致するか否かを判断する段階と；解読されたランダムな数字情報と受信されたランダムな数字情報とが一致する場合には消去命令を実行させ，一致しない場合には消去命令の実行を中止させる段階と，を含むことを特徴とする記録媒体のデータ消去方法。【選択図】    図４
2005237000.tif 000002
【特許請求の範囲】
【請求項１】
データ保存装置に保存されたデータを安全に消去する方法において：
ランダムな数字情報及び暗号化されたランダムな数字情報と共に消去命令が受信されるか否かを判断する段階と；
前記消去命令が受信された場合に，前記暗号化されたランダムな数字情報を消去用アルゴリズム及びキーを利用して解読する段階と；
前記解読されたランダムな数字情報と前記受信されたランダムな数字情報とが一致するか否かを判断する段階と；
前記解読されたランダムな数字情報と前記受信されたランダムな数字情報とが一致する場合には消去命令を実行させ，一致しない場合には消去命令の実行を中止させる段階と，を含むことを特徴とする，記録媒体のデータ消去方法。
【請求項２】
前記消去用アルゴリズム及びキーは，データアクセスを制限するロック処理に利用されるアルゴリズム及びキーとは異なることを特徴とする請求項１に記載の記録媒体のデータ消去方法。
【請求項３】
前記消去用アルゴリズム及びキーは，データアクセスを制限するロック処理をするときに設定されることを特徴とする，請求項１または２のいずれかに記載の記録媒体のデータ消去方法。
【請求項４】
ランダムな数字情報及び暗号化されたランダムな数字情報と，消去命令とが受信されるか否かを判断する段階と，
前記消去命令が受信された場合に，前記暗号化されたランダムな数字情報を消去用アルゴリズム及びキーを利用して解読する段階と，
前記解読されたランダムな数字情報と前記受信されたランダムな数字情報とが一致するか否かを判断する段階と，
前記解読されたランダムな数字情報と前記受信されたランダムな数字情報とが一致する場合には消去命令を実行させ，一致しない場合には，消去命令の実行を中止させる段階と，を含む方法を実行させる命令を処理するコンピュータプログラム。
【請求項５】
前記消去に利用されるアルゴリズム及びキーは，データアクセスを制限するロック処理に利用されるアルゴリズム及びキーと異なることを特徴とする，請求項４に記載のコンピュータプログラム。
【請求項６】
前記消去に利用されるアルゴリズム及びキーは，データアクセスを制限するロック処理をするときに設定されることを特徴とする請求項４に記載のコンピュータプログラム。
【請求項７】
データ保存装置において，
ロックアルゴリズム及びロック解読用キー情報と消去アルゴリズム及び消去解読用キー情報とを所定の領域に保存するディスクと；
ホスト機器からランダムな数字情報及び暗号化されたランダムな数字情報と共に，消去命令が受信される場合に，前記ディスクから消去アルゴリズム及び消去解読用キー情報を読出して前記暗号化されたランダムな数字情報を解読し，解読されたランダムな数字情報と前記消去命令と共に受信されたランダムな数字情報とが一致する場合にのみ消去命令を実行させ，一致しない場合には，消去命令の実行を中止させるように制御するコントローラと；を含むことを特徴とする，ハードディスクドライブ。
【請求項８】
前記所定の領域は，メンテナンスシリンダー領域を含むことを特徴とする，請求項７に記載のハードディスクドライブ。
【請求項９】
前記消去アルゴリズム及びキー情報は，データアクセスを制限するロック処理時に設定されることを特徴とする，請求項７または８のいずれかに記載のハードディスクドライブ。
【請求項１０】
前記ディスクの所定の領域には，アフターサービスのためのマスター消去アルゴリズム及びマスター消去キー情報を含むことを特徴とする，請求項７〜９のいずれかに記載のハードディスクドライブ。
【請求項１１】
ホスト機器とのデータ送信／受信処理を実行するホストインターフェースと；
前記ホストインターフェースを通じて受信されるデータ及び消去用データをディスクに記録したり，ディスクから読み出したりするためのデータ処理を実行する記録／判読回路と，をさらに含むことを特徴とする，請求項７〜１０のいずれかに記載のハードディスクドライブ。
【請求項１２】
データ保存装置に保存されたデータを安全に消去する方法において：
ディスクドライブの消去要請が受信されるか否かを判断する段階と，
前記消去要請が受信された場合に，ランダムな数字情報を受信する段階と，
消去アルゴリズム及び消去解読用キーを利用して入力された数字情報を暗号化する段階と，
入力されたランダムな数字情報及び暗号化されたランダムな数字情報と共に消去命令を伝送する段階と，を含むことを特徴とする，記録媒体のデータ消去命令生成方法。
【請求項１３】
前記ランダムな数字情報は，ディスプレイ装置のユーザ入力を受け付ける表示画面を介して受信されることを特徴とする，請求項１２に記載の記録媒体のデータ消去命令生成方法。
【請求項１４】
前記暗号化は，ＰＣコントローラによって実行されることを特徴とする，請求項１２または１３のいずれかに記載の記録媒体のデータ消去命令生成方法。
【請求項１５】
前記ランダムな数字情報及び暗号化されたランダムな数字情報と共に，消去命令は，ホストインターフェースを通じてディスクドライブに伝送されることを特徴とする，請求項１２〜１４のいずれかに記載の記録媒体のデータ消去命令生成方法。
【請求項１６】
データ保存装置において：
ディスクドライブのデータアクセスを制限するためのロック処理の設定に利用されるロックアルゴリズム及びロック解読用キーと，消去アルゴリズム及び消去解読用キーとを保存するメモリと；
前記ロックプロセスを設定するとき，消去アルゴリズム及び消去解読用キーを共に設定するように制御するコントローラと，
命令及びデータを入力させる入力手段と；
処理されたデータをディスプレイするディスプレイ手段と；
ディスクドライブ及びホスト機器間で命令及びデータを伝送するホストインターフェースと；を含むことを特徴とする，ホスト機器。
【請求項１７】
前記消去アルゴリズム及び消去解読用キーは，ロック処理時に共に設定することを特徴とする，請求項１６に記載のホスト機器。
【発明の詳細な説明】
【技術分野】
【０００１】
本発明は，データ保存システムのデータ保護方法及び装置に係り，特に，記録媒体に保存された情報の流出を防止しつつ安全にデータを消去させるための記録媒体のデータ消去方法，ディスクドライブ，コンピュータプログラム，ホスト機器，記録媒体のデータ消去命令生成方法に関する。
【背景技術】
【０００２】
一般的に，データ保存装置の一つであるハードディスクドライブ（ＨＤＤ：Ｈａｒｄ  Ｄｉｓｃ  Ｄｒｉｖｅ）は，磁気ヘッドによってディスクにからデータを記録したり，ディスクからデータを読み出したりすることによって，コンピュータシステムの運営に寄与する。このようなＨＤＤは，次第に高容量化，高密度化及び小型化しつつ，マルチメディアシステムのデータ保存手段として利用が拡大しつつある。
【０００３】
従来の技術によれば，パスワードを使用して，ホストからＨＤＤに安全にロックをしたり，解除をしたり，削除を実行する命令を伝送する。ＨＤＤでは受信されるパスワードを確認した後に，保存されたパスワードと一致すれば，伝送された命令を実行する。
【０００４】
【特許文献１】特開２００４−３４８７９３号公報
【特許文献２】特開２００４−０４２４１４号公報
【発明の開示】
【発明が解決しようとする課題】
【０００５】
しかし，パスワードがバスを経由してＨＤＤに伝送されると，バスモニタリングツールを使用して，パスワードを確認できるので，ハッキングに非常に脆弱であるという問題点があった。
【０００６】
そこで，本発明はこのような問題に鑑みてなされたもので，その目的とするところは，ホストとＨＤＤとの間のインターフェースバス上でパスワードの漏洩を防止して安全に消去命令を実行させるための記録媒体のデータ消去方法及びディスクドライブを提供することである。
【課題を解決するための手段】
【０００７】
上記課題を解決するために，本発明のある観点によれば，データ保存装置に保存されたデータを安全に消去する方法において：ランダムな数字情報及び暗号化されたランダムな数字情報と共に消去命令が受信されるか否かを判断する段階と；消去命令が受信された場合に，暗号化されたランダムな数字情報を消去用アルゴリズム及びキーを利用して解読する段階と；解読されたランダムな数字情報と受信されたランダムな数字情報とが一致するか否かを判断する段階と；解読されたランダムな数字情報と受信されたランダムな数字情報とが一致する場合には消去命令を実行させ，一致しない場合には消去命令の実行を中止させる段階と，を含むことを特徴とする，記録媒体のデータ消去方法が提供される。
【０００８】
また，上記消去用アルゴリズム及びキーは，データアクセスを制限するロック処理に利用されるアルゴリズム及びキーとは異なっていてもよい。また，上記消去用アルゴリズム及びキーは，データアクセスを制限するロック処理をするときに設定されるようにしてもよい。
【０００９】
上記課題を解決するために，本発明の別の観点によれば，ランダムな数字情報及び暗号化されたランダムな数字情報と，消去命令とが受信されるか否かを判断する段階と，消去命令が受信された場合に，暗号化されたランダムな数字情報を消去用アルゴリズム及びキーを利用して解読する段階と，解読されたランダムな数字情報と受信されたランダムな数字情報とが一致するか否かを判断する段階と，解読されたランダムな数字情報と受信されたランダムな数字情報とが一致する場合には消去命令を実行させ，一致しない場合には，消去命令の実行を中止させる段階と，を含む方法を実行させる命令を処理するコンピュータプログラムが提供される。
【００１０】
上記消去に利用されるアルゴリズム及びキーは，データアクセスを制限するロック処理に利用されるアルゴリズム及びキーと異なっていてもよい。上記消去に利用されるアルゴリズム及びキーは，データアクセスを制限するロック処理をするときに設定されてもよい。
【００１１】
上記課題を解決するために，本発明の別の観点によれば，データ保存装置において，ロックアルゴリズム及びロック解読用キー情報と消去アルゴリズム及び消去解読用キー情報とを所定の領域に保存するディスクと；ホスト機器からランダムな数字情報及び暗号化されたランダムな数字情報と共に，消去命令が受信される場合に，ディスクから消去アルゴリズム及び消去解読用キー情報を読出して暗号化されたランダムな数字情報を解読し，解読されたランダムな数字情報と消去命令と共に受信されたランダムな数字情報とが一致する場合にのみ消去命令を実行させ，一致しない場合には，消去命令の実行を中止させるように制御するコントローラと；を含むことを特徴とする，ハードディスクドライブが提供される。
【００１２】
上記所定の領域は，メンテナンスシリンダー領域を含んでもよい。上記消去アルゴリズム及びキー情報は，データアクセスを制限するロック処理時に設定されてもよい。ディスクの所定の領域には，アフターサービスのためのマスター消去アルゴリズム及びマスター消去キー情報を含んでもよい。
【００１３】
上記ハードディスクドライブは，ホスト機器とのデータ送信／受信処理を実行するホストインターフェースと；ホストインターフェースを通じて受信されるデータ及び消去用データをディスクに記録したり，ディスクから読み出したりするためのデータ処理を実行する記録／判読回路と，をさらに含んでもよい。
【００１４】
上記課題を解決するために本発明の別の観点によれば，データ保存装置に保存されたデータを安全に消去する方法において：ディスクドライブの消去要請が受信されるか否かを判断する段階と，消去要請が受信された場合に，ランダムな数字情報を受信する段階と，消去アルゴリズム及び消去解読用キーを利用して入力された数字情報を暗号化する段階と，入力されたランダムな数字情報及び暗号化されたランダムな数字情報と共に消去命令を伝送する段階と，を含むことを特徴とする，記録媒体のデータ消去命令生成方法が提供される。
【００１５】
上記課題を解決するために，本発明の別の観点によれば，データ保存装置において：ディスクドライブのデータアクセスを制限するためのロック処理の設定に利用されるロックアルゴリズム及びロック解読用キーと，消去アルゴリズム及び消去解読用キーとを保存するメモリと；ロックプロセスを設定するとき，消去アルゴリズム及び消去解読用キーを共に設定するように制御するコントローラと，命令及びデータを入力させる入力手段と；処理されたデータをディスプレイするディスプレイ手段と；ディスクドライブ及びホスト機器間で命令及びデータを伝送するホストインターフェースと；を含むことを特徴とする，ホスト機器が提供される。
【発明の効果】
【００１６】
以上説明したように本発明によれば，記録媒体をロックさせたホスト機器のみが，記録媒体に記録されたデータを安全に消去できる。また，アルゴリズムに使われるキー値が漏洩されないため，データを安全に保護できる効果が発生する。さらに，保存媒体のデータアクセスを制限するロックのためのアルゴリズム及びキー情報と消去用アルゴリズム及びキー情報とが，それぞれ異なって設定されて保存媒体に保存されたデータをさらに安全に保護できる。
【発明を実施するための最良の形態】
【００１７】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１８】
図１は，本発明が適用されるディスクドライブ１０の構成を示す図面である。ドライブ１０は，スピンドルモータ１４によって回転する少なくとも一つの磁気ディスク１２を含んでいる。ディスクドライブ１０は，ディスク表面１８に隣接するように位置した変換器１６も含んでいる。
【００１９】
変換器１６は，それぞれのディスク１２の磁界を感知して磁化させることによって，回転するディスク１２から情報を読み出したり，情報を記録したりすることができる。一般的に，変換器１６は，各ディスク表面１８に結合されている。単一の変換器１６として図示されて説明されているが，これは，ディスク１２を磁化させるための記録用変換器とディスク１２の磁界を感知するための分離された判読用変換器とよりなると理解されねばならない。判読用変換器は，磁気抵抗（ＭＲ：Ｍａｇｎｅｔｏ−Ｒｅｓｉｓｔｉｖｅ）素子から構成される。変換器１６は，一般的に，ヘッドと称す。
【００２０】
変換器１６は，スライダー２０に統合されうる。スライダー２０は，変換器１６とディスク表面１８との間に空気軸受を生成させる構造になっている。スライダー２０は，ヘッドジンバルアセンブリ（Ｈｅａｄ  Ｇｉｍｂａｌ  Ａｓｓｅｍｂｌｙ：ＨＧＡ）に結合されている。ＨＧＡは，ボイスコイル２６を有するアクチュエータアーム２４に付着されている。ボイスコイル２６は，ボイスコイルモータ（ＶＣＭ：Ｖｏｉｃｅ  Ｃｏｉｌ  Ｍｏｔｏｒ）３０を特定するマグネチックアセンブリ２８に隣接して位置している。ボイスコイル２６に供給される電流は，軸受アセンブリ３２に対してアクチュエータアーム２４を回転させるトルクを発生させる。アクチュエータアーム２４の回転は，ディスク表面１８を横切って変換器１６を移動させる。
【００２１】
情報は，典型的にディスク１２の環状トラック内に保存される。各トラック３４は，一般的に，複数のセクターを含んでいる。各セクターは，データフィールドと識別フィールドとを含んでいる。識別フィールドは，セクター及びトラック（シリンダー）を識別するグレイコードより構成されている。変換器１６は，他のトラックにある情報を判読または記録するために，ディスク表面１８を横切って移動する。
【００２２】
図２は，本発明が適用されるディスクドライブの電気的な回路を示す図面である。図２に示したように，本発明によるディスクドライブは，ディスク１２，変換器１６，プリアンプ２１０，判読／記録（Ｒ／Ｗ）チャンネル２２０，バッファ２３０，コントローラ２４０，ＲＯＭ（Ｒｅａｄ  Ｏｎｌｙ  Ｍｅｍｏｒｙ）２５０，ＲＡＭ（Ｒａｎｄｏｍ  Ａｃｃｅｓｓ  Ｍｅｍｏｒｙ）２６０，ＶＣＭ駆動部２７０及びホストインターフェース２８０を備える。
【００２３】
ディスク１２には，ユーザデータ及びＨＤＤ動作に関連したデータが保存されているが，ＨＤＤ動作に関連したデータは，一般のユーザが接近できないディスク領域であるメンテナンスシリンダー（Ｍａｉｎｔｅｎａｎｃｅ  Ｃｙｌｉｎｄｅｒ：Ｍ／Ｃ）領域に保存される。
【００２４】
また，ディスク１２のＭ／Ｃ領域には，ディスクに保存されたデータのアクセスを制限するロックアルゴリズム及びロック解読用キー情報と，情報の流出を防止しつつ情報を消去させうる消去アルゴリズム及び消去解読用キー情報とが保存される。
【００２５】
また，ディスク１２のＭ／Ｃ領域に，アフターサービスのためのマスター消去アルゴリズム及びマスター消去キー情報を別途に保存し，サービスセンターでロック情報が分からない状態でも，ディスクのデータを露出させずにデータ領域を安全に消去できるように設計することが効果的である。
【００２６】
ＲＯＭ  ２５０には，ディスクドライブを制御するための各種プログラム及びデータが保存されており，ＲＡＭ  ２６０には，ブーティングする度にディスク１２のＭ／Ｃ領域から読出したディスクドライブの動作に必要なデータがローディングされる。
【００２７】
バッファ２３０には，ライトモードでホストインターフェース２８０を通じてホスト機器から受信されるデータが順次に保存され，リードモードでディスク１２から読出したデータが順次に保存される。
【００２８】
プリアンプ２１０は，変換器１６で感知された信号を増幅させる増幅回路及び変換器１６に最適のリード電流を供給するためのリード電流制御回路より構成されている。もちろん，ライト電流を供給するためのライト電流制御回路も内蔵されている。
【００２９】
まず，一般的なディスクドライブの動作を説明すれば，次の通りである。
【００３０】
データリードモードで，ディスクドライブは，ディスク１２から変換器１６によって感知された電気的な信号を，プリアンプ２１０で信号処理に容易になるように増幅させる。次いで，Ｒ／Ｗチャンネル２２０では，増幅されたアナログ信号をホスト機器（図示せず）が判読可能なデジタル信号に符号化させ，ストリームデータに変換してバッファ２３０に一時保存させた後に，ホストインターフェース２８０を通じてホスト機器に伝送する。
【００３１】
データライトモードで，ディスクドライブは，ホストインターフェース２８０を通じてホスト機器からデータを入力されてバッファ２３０に一時保存させた後に，バッファ２３０からデータを出力してＲ／Ｗチャンネル２２０によって記録チャンネルに適した２進データストリームに変換させた後に，プリアンプ２１０によって増幅された記録電流を変換器１６を通じてディスク１２に記録させる。
【００３２】
データ消去モードでは，ディスク１２のデータ領域に「０」または「１」の同じデータを連続して記録させるように変換器１６に記録電流を印加する。コントローラ２４０は，ディスクドライブを総括的に制御し，ホストインターフェース２８０を通じて受信される命令を分析し，当該コマンドを実行するように制御する。
【００３３】
すなわち，コントローラ２４０は，ホスト機器からランダムな数字情報及び暗号化されたランダムな数字情報と共に消去命令が受信される場合に，ディスク１２から消去アルゴリズム及び消去解読用キー情報を読出して暗号化されたランダムな数字情報を解読する。解読されたランダムな数字情報と消去命令と共に受信されたランダムな数字情報とが一致する場合にのみ消去命令を実行させ，そうでない場合には，消去命令の実行を中止させるように制御する。
【００３４】
そして，コントローラ２４０は，ボイスコイル２６に駆動電流を供給するＶＣＭ駆動部２７０にも結合されており，ＶＣＭの励起及び変換器１６の動きを制御するためにＶＣＭ駆動部２７０に制御信号を供給する。
【００３５】
図３は，ディスクドライブと接続するホスト機器の構成図を示すものである。図３に示したように，ホスト機器は，ＰＣコントローラ３１０，ＰＣメモリ３２０，入力手段３３０，ディスプレイ手段３４０及びホストインターフェース２８０より構成される。
【００３６】
ＰＣメモリ３２０には，ホスト機器であるＰＣの作動に必要な各種プログラム及びデータが保存されている。
【００３７】
特に，ＰＣメモリ３２０には，ディスクドライブのデータアクセスを制限するロックの設定時に利用されるロックアルゴリズム及びロック解読用キー情報と共に設定された消去アルゴリズム及び消去解読用キー情報が保存される。
【００３８】
入力手段３３０は，ＰＣ命令及びデータを入力させるための手段であって，キーボードまたはマウスより構成される。
【００３９】
ディスプレイ手段３４０は，ＰＣで処理されたデータを出力させる手段であって，表示画面であるモニターより構成される。
【００４０】
ホストインターフェース２８０は，ホスト機器であるＰＣとデータ保存装置であるＨＤＤとの間の命令及びデータ伝送を実行させる回路手段である。
【００４１】
ＰＣコントローラ３１０は，ＰＣを総括的に制御し，接続されたＨＤＤのマスターコントローラとしての役割を行う。ＰＣコントローラ３１０は，ロックの設定時に消去用アルゴリズム及びキーが共に設定されるように制御する。
【００４２】
それにより，ＰＣコントローラ３１０の制御によってホスト機器からＨＤＤに消去命令を生成させて伝送するプロセスについて，図４のフローチャートを参照して説明する。
【００４３】
まず，ＰＣコントローラ３１０は，入力手段３３０を通じてＨＤＤの消去要求が発生したか否かを判断する（Ｓ４０１）。
【００４４】
Ｓ４０１の判断結果，ＨＤＤの消去要求が発生した場合に，ランダムな数字情報を入力させるための表示画面をディスプレイ手段３４０である画面に生成させ，表示画面を通じてユーザからランダムな数字情報を入力される（Ｓ４０２）。
【００４５】
表示画面を通じてランダムな数字情報を入力されれば，ＰＣコントローラ３１０は，ＰＣメモリ３２０に保存された消去アルゴリズム及び消去解読用キー情報を利用して入力されたランダムな数字情報を暗号化する（Ｓ４０３）。
【００４６】
次いでＰＣコントローラ３１０は，消去命令を，ユーザが入力したランダムな数字情報，暗号化されたランダムな数字情報と共にホストインターフェース２８０を通じてＨＤＤに伝送する（Ｓ４０４）。
【００４７】
次に，ＨＤＤで実行される消去プロセスについて，図５のフローチャートを中心に図２の回路構成図を参照して説明する。
【００４８】
まず，コントローラ２４０は，ホスト機器からホストインターフェース２８０を通じて消去命令が受信されるか否かを判断する（Ｓ５０１）。消去命令は，ユーザが入力したラ  ンダムな数字情報及び暗号化されたランダムな数字情報と共に伝送される。
【００４９】
Ｓ５０１の判断結果，消去命令が受信される場合に，コントローラ２４０は，ディスク１２から消去アルゴリズム及び消去解読用キー情報を読出し，消去命令と共に受信された暗号化されたランダムな数字情報を解読する（Ｓ５０２）。
【００５０】
次いでＳ５０２で解読されたランダムな数字情報とＳ５０１で消去命令と共に受信されたランダムな数字情報とが一致するか否かを判断する（Ｓ５０３）。
【００５１】
Ｓ５０３の判断の結果，解読されたランダムな数字情報と消去命令と共に受信されたランダム数字情報とが一致する場合には，消去命令を実行させ（Ｓ５０４），そうでない場合には，消去命令の実行を中止する（Ｓ５０５）。
【００５２】
これにより，ＨＤＤをロックさせたホスト機器のみがＨＤＤのディスクに保存されたデータを安全に消去可能にして，情報の流出を防止しつつデータを消去できる。
【００５３】
本発明は，方法，装置，システムとして実行されうる。ソフトウェアとして実行される時，本発明の構成手段は，必然的に必要な作業を実行するコードセグメントである。プログラムまたはコードセグメントは，プロセッサー判読可能媒体に保存され，伝送媒体または通信網で搬送波と結合されたコンピュータデータ信号によって伝送されうる。プロセッサー判読可能媒体は，情報を保存または伝送できるいかなる媒体も含む。プロセッサー判読可能媒体の例としては，電子回路，半導体メモリ素子，ＲＯＭ，フラッシュメモリ，ＥＲＯＭ（Ｅｒａｓａｂｌｅ  ＲＯＭ），フロッピー（登録商標）ディスク，光ディスク，ハードディスク，光ファイバ媒体，無線周波数（ＲＦ）網がある。コンピュータデータ信号は，電子網チャンネル，光ファイバ，空気，電子系，ＲＦ網のような伝送媒体上に伝播されうるいかなる信号も含まれる。
【００５４】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００５５】
本発明は，多様な形態のデータ保存装置に適用され，特に，本発明をＨＤＤに適用する場合に，ＨＤＤに保存されたデータをさらに安全に利用できる。
【図面の簡単な説明】
【００５６】
【図１】本発明の実施形態にかかるディスクドライブの構成図である。
【図２】同実施の形態にかかる記録媒体のデータ消去方法が適用されるディスクドライブの電気的な回路構成図である。
【図３】同実施の形態にかかるホスト機器の回路構成図である。
【図４】同実施の形態にかかるホスト機器からＨＤＤに消去命令を生成させて伝送するプロセスのフローチャートである。
【図５】同実施の形態にかかるＨＤＤで実行される消去プロセスのフローチャートである。
【符号の説明】
【００５７】
１０        ＨＤＤ
１２        磁気ディスク
１４        スピンドルモータ
１６        変換器
２０        スライダー
２４        アクチュエータアーム
２６        ボイスコイル
２８        マグネチックアセンブリ
３０        ＶＣＭ
３２        軸受アセンブリ
３４        トラック
【図１】
2005237000.tif 000003
【図２】
2005237000.tif 000004
【図３】
2005237000.tif 000005
【図４】
2005237000.tif 000006
【図５】
2005237000.tif 000007